(57)【特許請求の範囲】
【請求項１】
（ａ）水不溶性基質、
（ｂ）（ｉ）グリコール酸、乳酸、ヒドロキシオクタン酸およびそれらの混合物から成る群から選択されるアルファ−ヒドロキシカルボン酸、
（ｉｉ）シリコーンミクロエマルジョン中のシリコーン物質の粒径が０．０１から５００ｎｍの範囲であるシリコーンミクロエマルジョン
（ｉｉｉ）水中でｐＨ６．５以下を有する組成物
を含む前記基質に浸透する化粧用組成物
を含むタオル製品。
【請求項２】
ベータ−ヒドロキシカルボン酸をさらに含む請求項１に記載のタオル製品。
【請求項３】
化粧組成物のｐＨが水中で２．０から６．０の範囲である請求項１または２に記載のタオル製品。
【請求項４】
化粧組成物のｐＨが水中で３．５から４．５の範囲である請求項３に記載のタオル製品。
【請求項５】
シリコーンミクロエマルジョンがジメチコノールミクロエマルジョンである請求項１から４のいずれか一項に記載のタオル製品。
【請求項６】
ミクロエマルジョン中のシリコーン物質の粒径が５から５０ｎｍの範囲である請求項１から５のいずれか一項に記載のタオル製品。
【請求項７】
ヒドロキシカルボン酸が前記組成物の０．１から１５重量％の量で存在する請求項１から６のいずれか一項に記載のタオル製品。
【請求項８】
ミクロエマルジョンが前記組成物の０．１から２０重量％の量で存在する請求項１から７のいずれか一項に記載のタオル製品。
【請求項９】
アルファ−ヒドロキシカルボン酸が塩であり、該塩がアンモニウム塩、アルカリ塩，アルカリ土類金属塩，アルカノールアンモニウム塩およびそれらの混合物より選択される請求項１に記載のタオル製品。
【発明の詳細な説明】
【０００１】
発明の背景
発明の分野
本発明は、化粧用にアルファ−ヒドロキシカルボン酸を提供する使い捨てタオルに関する。
【０００２】
関連技術
アルファ−ヒドロキシカルボン酸およびその誘導体は、若々しい外見を維持するための処置をもたらすものとして広く知られている。これらの物質は、顔の細かい線および皺の進行を制御すると言われている。しかし、これらの物質の調合は困難であった。問題として、担体系との適合性、物理的安定性および皮膚刺激性が生じる。さらに、特に困難なのは、低いｐＨ系での調合である。
【０００３】
米国特許第５０９１１７１号（Ｙｕ  ｅｔ  ａｌ．）は、細かい線および皺といった外見に対して効果のあるアルファ−ヒドロキシカルボン酸の使用について記載した最初の文献の１つである。その後、これらの物質の有効性に基づいて、膨大な量の文献が報告され、多くの製品が生み出された。今日までに報告された調合物のほとんどは、クリーム型か、またはローション型のいずれかであった。これらの製剤の１つの問題点は、適用する表面に常に均一に分配されるとは限らないことである。第２に、活性物質で処理した表面を洗浄すると常に、活性物質は洗い流されてしまうことである。したがって、アルファ−ヒドロキシカルボン酸を皮膚表面上に維持する方法としては、その後の洗浄作用に影響を受けないことが必要である。調合物が一般に低いｐＨを有するので、刺激性もまた大きな問題点であった。
【０００４】
ＷＯ９６／１１５７２（Ｍｏｂｅｒｇ）は、乳酸として知られるアルファ−ヒドロキシ物質を含めた様々な酸を、織物または疲労回復用ナプキンに浸透可能な水性ヘキシレングリコール調合物中で使用している。これらは、皮膚上の微生物増殖の問題を克服し、かつ消毒剤として作用させるために使用されている。
【０００５】
米国特許第４８２８９１２号（Ｈｏｓｓａｉｎ  ｅｔ  ａｌ．）および米国特許第４７６４４１８号（Ｋｕｅｎｎ  ｅｔ  ａｌ．）は、ウイルスおよび一般的な風邪などの疾患を誘導する生物を制御することを目的としたウイルス破壊性ティッシュ製品について記載している。クエン酸、リンゴ酸、コハク酸および安息香酸などのカルボン酸を、顔用ティッシュおよびその他の不織材料に浸透させるための界面活性剤および担体と調合する。
【０００６】
前記の開示はいずれも、アルファ−ヒドロキシカルボン酸がタオルによって皮膚に付着した後の粘着性の問題を扱っていなかった。低ｐＨ系で起こる可能性のある臭気制御に関して論じたものもなかった。
【０００７】
したがって、本発明の目的は、皮膚を清浄にして、加齢の徴候を軽減するための製品および方法を提供することである。
【０００８】
本発明の他の目的は、皮膚上における粘着性残留物の形成を回避する方法で、アルファ−ヒドロキシカルボン酸を付着する製品および方法を提供することである。
【０００９】
本発明のさらに他の目的は、不潔な臭気の形成を回避する調合物中にアルファ−ヒドロキシカルボン酸を加えた製品を提供することである。
【００１０】
本発明のこれらの目的およびその他の目的は、以下の概要およびその後の詳細な説明によってより明らかとなるだろう。
【００１１】
発明の概要
本発明では、
（ａ）水不溶性基質、
（ｂ）（ｉ）アルファ−又はベータ−ヒドロキシカルボン酸、
（ｉｉ）シリコーンミクロエマルジョン、
（ｉｉｉ）水中でｐＨ約６．５以下である組成物
を含むこの基質に浸透する化粧用組成物
を含むタオル製品を提供する。
【００１２】
本発明のシリコーンミクロエマルジョンは、組成物に安定性をもたらし、アルファ−ヒドロキシカルボン酸を皮膚上に付着させたとき生じる可能性のある粘着性を解消する。
【００１３】
界面活性剤、特に両性型のものなどの弱い界面活性剤は、低ｐＨで発生する不潔な臭気を分解することができる。本発明のシリコーンミクロエマルジョンはまた、不潔な臭気の生成を解消するために有用であることが発見された。
【００１４】
発明の詳細な説明
本出願人等は、驚くべきことにアルファ−ヒドロキシカルボン酸を浸透させたタオルが、粘着性を与えることなく皮膚にあてがうことができることをついに発見した。これは、シリコーンミクロエマルジョンを使用することによって実現する。
【００１５】
一般的には、アルファ−ヒドロキシカルボン酸を含む化粧品用賦形剤のクリーム、ローションおよびその他の型はまた、他の活性物質と共に皮膚上に付着する皮膚軟化剤を含む。これらの皮膚軟化剤には、たとえば、エステル、炭化水素またはジメチコーン油が含まれる。皮膚軟化剤が存在すると、水または賦形剤が蒸発して、乾燥した活性物質を残すことによって生じる可能性のある粘着性がわかりにくくなる。
【００１６】
残念ながら、タオル製品は浸透させる流動体が濃厚すぎると十分に浸漬しないので、タオル製品に粘度の高すぎる流動体を浸透させることができない。しかし、タオルに使用される低粘度の流動体は、エマルジョン安定性が悪くなりやすく、大量の皮膚軟化剤をこれらの系に調合することが困難である。その結果、アルファ−ヒドロキシカルボン酸などの活性化物質は、タオルによってタオル上に広がった低粘度流動体から皮膚上にねばねばと付着する。
【００１７】
本発明の第１に必要な態様は、基質である。基質は水に不溶な物質であることが好ましい。「水に不溶」とは、基質が水に溶解しないか、水に浸漬した際すぐにばらばらにならないことを意味する。この基質を活性物質と組み合わせる他の利点は、基質が活性物質の浸透を助けることである。この基質はまた、より正確に皮膚に塗布したり、収斂組成物を不注意に塗布すると刺激を引き起こすような目などの敏感な部分を回避したりするためには、単なる液体またはゲル調合物よりも優れている。
【００１８】
多様な物質を基質として使用することが可能である。以下の非限定的な特性、すなわち、（ｉ）使用するために十分な湿潤強度、（ｉｉ）十分な研磨性、（ｉｉｉ）十分な弾性と有孔性、（ｉｖ）十分な厚み、（ｖ）適切な大きさ、および（ｖｉ）浸透組成物の成分との非反応性が望まれる。
【００１９】
前記の基準に見合った適切な基質の非限定的な例には、不織基質、織物基質、ハイドロエンタングル（ｈｙｄｒｏｅｎｔａｎｇｌｅｄ）基質、空気をエンタングルした基質などが含まれる。好ましい実施例では、経済的であり、かつ様々な物質に使用しやすいので不織基質を使用する。「不織」とは、層が織物に織っていないが、どちらかといえばシート、特にティッシュに形成されている繊維から成ることを意味する。繊維はランダムである（すなわち、ランダムに並んでいる）か、または梳かれている（すなわち、主として１方向に梳かれている）かのいずれかであることが可能である。さらに、不織基質は、ランダムおよび梳かれた繊維の層の組み合わせから成ることが可能である。
【００２０】
不織基質は、天然および合成の両方の様々な物質から成ることが可能である。天然とは、その物質が植物、動物、昆虫または副産物から得られることを意味する。合成とは、その物質が主に様々な人工物質、または通常一般的な合成、または天然いずれかの織物の長さの繊維、またはそれらの混合物を含む繊維網である物質から得られたことを意味する。
【００２１】
本発明に有用な天然物質の非限定的な例は、絹繊維、ケラチン繊維およびセルロース繊維である。ケラチン繊維の非限定的な例には、羊毛繊維、ラクダ毛繊維などから成る群から選択されたものが含まれる。セルロース繊維の非限定的な例には、木材パルプ繊維、綿繊維、麻繊維、ジュート繊維、亜麻繊維、およびそれらの混合物が含まれる。木材パルプ繊維は好ましいが、あらゆる綿繊維（たとえば、綿パッド）は通常回避される。
【００２２】
本発明に有用な合成物質の非限定的な例には、アセテート繊維、アクリル繊維、セルロースエステル繊維、モドアクリル繊維、ポリアミド繊維、ポリエステル繊維、ポリオレフィン繊維、ポリビニルアルコール繊維、レーヨン繊維およびそれらの混合物が含まれる。これらの合成物質のいくつかの例には、Ａｃｒｉｌａｎ（登録商標）、Ｃｒｅｓｌａｎ（登録商標）およびアクリロニトリルをベースにした繊維、Ｏｒｌｏｎ（登録商標）などのアクリル類、セルロースアセテート、Ａｒｎｅｌ（登録商標）およびＡｃｅｌｅ（登録商標）などセルロースエステル繊維、ナイロン（たとえば、ナイロン６、ナイロン６６、ナイロン６１０など）などポリアミド、Ｆｏｒｔｒｅｌ（登録商標）、Ｋｏｄｅｌ（登録商標）などおよびポリエチレンテレフタレート繊維ポリエステル、ポリプロピレン、ポリエチレンなどＤａｒｃｒｏｎ（登録商標）ポリオレフィン、ポリビニル酢酸繊維およびそれらの混合物が含まれる。
【００２３】
天然物質から作製した不織基質は、繊維の液体懸濁液から微細なワイアスクリーンを通して最も一般的に形成される網またはシートから成る。
【００２４】
本発明に有用な天然物質から作製された基質は、多種多様な市販の材料から得ることができる。本明細書で有用で、適切な市販の紙層の非限定的な例には、Ａｉｒｔｅｘ（登録商標）、Ｊａｍｅｓ  Ｒｉｖｅｒ  Ｃｏｒｐｏｒａｔｉｏｎ、（Ｇｒｅｅｎ  Ｂａｙ、ＷＩ）製の基本重量約８５ｇ／ｍ２（７１ｇｓｙ）を有するエンボスエアーレイドセルロース層およびＷａｌｋｉｓｏｆｔ（登録商標）、Ｗａｌｋｉｓｏｆｔ  Ｕ．Ｓ．Ａ．、（Ｍｏｕｎｔ  Ｈｏｌｌｙ、ＮＣ）製の基本重量約９０ｇ／ｍ２（７５ｇｓｙ）を有するエンボスエアーレイドセルロースが含まれる。
【００２５】
本発明に有用な合成物質から作製された不織基質はまた、多種多様な市販の材料から得ることができる。本明細書で有用で、適切な不織層物質の非限定的な例には、ＨＥＦ  ４０−０４７、レーヨン約５０％およびポリエステル５０％を含み、基本重量平方ヤード当たり約４３グラム（ｇｓｙ）を有するＶｅｒａｔｅｃ、Ｉｎｃ．（Ｗａｌｐｏｌｅ、ＭＡ）製の開口ハイドロエンタングル物質、ＨＥＦ  １４０−１０２、レーヨン約５０％およびポリエステル５０％を含み、基本重量約５６ｇｓｙを有するＶｅｒａｔｅｃ、Ｉｎｃ．（Ｗａｌｐｏｌｅ、ＭＡ）製の開口ハイドロエンタングル物質、Ｎｏｖｅｎｅｔ（登録商標）１４９−１９１、レーヨン約６９％、ポリプロピレン約２５％、および綿約６％を含み、基本重量約１００ｇｓｙを有するＶｅｒａｔｅｃ、Ｉｎｃ．（Ｗａｌｐｏｌｅ、ＭＡ）製の熱結合格子パターン物質、ＨＥＦ  Ｎｕｂｔｅｘ（登録商標）  １４９−８０１、ポリエステル約１００％を含み、基本重量約８４ｇ／ｍ２（７０ｇｓｙ）を有するＶｅｒａｔｅｃ、Ｉｎｃ．（Ｗａｌｐｏｌｅ、ＭＡ）製の節のある開口ハイドロエンタングル物質、Ｋｅｙｂａｋ（登録商標）９５１Ｖ、レーヨン約７５％、アクリル繊維約２５％を含み、基本重量約５２ｇ／ｍ２（４３ｇｓｙ）、Ｃｈｉｃｏｐｅｅ  Ｃｏｒｐｏｒａｔｉｏｎ（Ｎｅｗ  Ｂｒｕｎｓｗｉｃｋ、ＮＪ）製の乾燥形成開口物質、Ｋｅｙｂａｋ（登録商標）１３６８、レーヨン約７５％、ポリエステル約５％を含み、基本重量約４７ｇ／ｍ２（３９ｇｓｙ）を有するＣｈｉｃｏｐｅｅ  Ｃｏｒｐｏｒａｔｉｏｎ（Ｎｅｗ  Ｂｒｕｎｓｗｉｃｋ、ＮＪ）製の開口物質、Ｄｕｒａｌａｃｅ（登録商標）１２３６、レーヨン約１００％を含み、基本重量約４８ｇ／ｍ２（４０ｇｓｙ）から約１３８ｇ／ｍ２（１１５ｇｓｙ）を有するＣｈｉｃｏｐｅｅ  Ｃｏｒｐｏｒａｔｉｏｎ（Ｎｅｗ  Ｂｒｕｎｓｗｉｃｋ、ＮＪ）製の開口ハイドロエンタングル物質、Ｄｕｒａｌａｃｅ（登録商標）５９０４、ポリエステル約１００％を含み、基本重量約４８ｇ／ｍ２（４０ｇｓｙ）から約１３８ｇ／ｍ２（１１５ｇｓｙ）を有するＣｈｉｃｏｐｅｅ  Ｃｏｒｐｏｒａｔｉｏｎ（Ｎｅｗ  Ｂｒｕｎｓｗｉｃｋ、ＮＪ）製の開口ハイドロエンタングル物質、Ｓｏｎｔａｒｏ（登録商標）８８６８、セルロース約５０％およびポリエステル約５０％を含み、基本重量約７２ｇ／ｍ２（６０ｇｓｙ）を有するＤｕｐｏｎｔ  Ｃｈｅｍｉｃａｌ  Ｃｏｒｐ．製のハイドロエンタングル物質が含まれる。
【００２６】
本発明の目的のために最も好ましいタオルは、不織基質、特にレーヨン／ポリエステルの重量比が１０：９０から９０：１０、好ましくは２０：８０から８０：２０、最適なのは４０：６０から６０：４０のブレンドである。最も好ましいタオルは、レーヨン／ポリエステルが７０：３０の不織ふき取り用品である。
【００２７】
この基質は、多種多様な形状および形態に作製することができる。一般に、この基質は使い捨てタオル形態である。タオルはＺ型構造に折り畳むと有利である。互いに挟み込むことが可能であるが、挟み込まない方が好ましい。Ｚ型の折り畳みは、上部および下部パネルによって囲まれた中央パネルから成る。上部および下部翼パネルは、実質的に幅が等しく、中央パネルの実質的に半分の幅である。タオルはそれぞれ、Ｚ型構造の方向と直交する方向に中心に折り畳まれる。タオルの大きさは、長さ１０から４０ｃｍ、好ましくは１５から３０ｃｍ、最適には１８から２４ｃｍの範囲であると有利である。タオルの幅は、８から３０ｃｍ、好ましくは１０から２５ｃｍ、最適なのは１５から２０ｃｍの範囲が可能である。
【００２８】
概ね５から１００、好ましくは１０から５０枚のタオルを、取り出しポーチ、好ましくは水分不浸透性のポーチ内に保存することが可能である。保存中および取り出しの間には、一般的に取り出し開口部を覆った接着性ストリップによってポーチは再度密封可能である。タオル１枚を含んだポーチもまた、使用可能である。
【００２９】
本発明の基質は任意に、それぞれ異なる織り方および摩損性を有する２種以上の層を含むことが可能である。異なる織り方は、異なる材料の組み合わせ、または剥離するためのより荒い面およびそっと洗浄するための柔らかな吸収力のある面を有する基質を使用することによって得ることが可能である。さらに、基質の個々の層は、異なる色を付け、それによって使用者が面を見分けやすくなるように製造することが可能である。
【００３０】
本発明の第２の重要な要素は、アルファ−ヒドロキシカルボン酸である。この用語は、それらの酸形態だけでなくそれらの塩も意味する。塩を形成する一般的な陽性対イオンは、アルカリ金属、アルカリ土類金属、アンモニウム、Ｃ２〜Ｃ８トリアルカノールアンモニウム陽イオンおよびそれらの混合物である。「アルファ−ヒドロキシカルボン酸」という用語には、ヒドロキシ酸だけでなく、アルファ−ケト酸およびヒドロキシ酸重合体の関連化合物が含まれる。
【００３１】
アルファ−ヒドロキシ酸は、カルボン酸に隣接したアルファ炭素に１個の水酸基が付加した有機カルボン酸である。一般的構造は以下の通りで、
（Ｒａ）（Ｒｂ）Ｃ（ＯＨ）ＣＯＯＨ
式中、ＲａおよびＲｂは独立して、Ｈ、Ｆ、Ｃｌ、Ｂｒ、アルキル、アラルキルまたはアリール基および飽和または不飽和の、異性体または非異性体の、１から２５個の炭素原子を有する直鎖または枝分かれ鎖または環状である。さらに、ＲａおよびＲｂは任意にＯＨ、ＣＨＯ、ＣＯＯＨおよび１から９個の炭素原子を有するアルコキシ基で置換されることが可能である。このアルファ−ヒドロキシカルボン酸は、ＲａおよびＲｂが同一でないとき、Ｄ、Ｌ、およびＤＬ型の立体異性体として存在することが可能である。
【００３２】
ＲａおよびＲｂの一般的なアルキル、アラルキルおよびアリール基には、メチル、エチル、プロピル、イソプロピル、ブチル、ペンチル、オクチル、ラウリル、ステアリル、ベンジルおよびフェニルなどが含まれる。第１群のアルファ−ヒドロキシ酸は、（１）アルキルアルファ−ヒドロキシ酸、（２）アラルキルおよびアリールアルファ−ヒドロキシ酸、（３）ポリヒドロキシアルファ−ヒドロキシ酸、および（４）ポリカルボン酸アルファ−ヒドロキシ酸に細分することが可能である。以下は、各部分群の代表的なアルファヒドロキシ酸である。
【００３３】
（１）アルキルアルファヒドロキシ酸
２−ヒドロキシエタン酸（グリコール酸、ヒドロキシ酢酸）
２−ヒドロキシプロパン酸（乳酸）
２−メチル２−ヒドロキシプロパン酸（メチル乳酸）
２−ヒドロキシブタン酸
２−ヒドロキシペンタン酸
２−ヒドロキシヘキサン酸
２−ヒドロキシヘプタン酸
２−ヒドロキシオクタン酸
２−ヒドロキシノナン酸
２−ヒドロキシデカン酸
２−ヒドロキシウンデカン酸
２−ヒドロキシドデカン酸（アルファヒドロキシラウリン酸）
２−ヒドロキシテトラデカン酸（アルファヒドロキシミリスチン酸）
２−ヒドロキシヘキサデカン酸（アルファヒドロキシパルミチン酸）
２−ヒドロキシオクタデカン酸（アルファヒドロキシステアリン酸）
２−ヒドロキシエイコサン酸（アルファヒドロキシアラキドン酸）
（２）アラルキルおよびアリールアルファ−ヒドロキシ酸
２−フェニル２−ヒドロキシエタン酸（マンデル酸）
２，２−ジフェニル２−ヒドロキシエタン酸（ベンジル酸）
３−フェニル２−ヒドロキシプロパン酸（フェニル乳酸）
２−フェニル２−メチル２−ヒドロキシエタン酸（アトロ乳酸）
２−（４’−ヒドロキシフェニル）２−ヒドロキシエタン酸（４−ヒドロキシマンデル酸）
２−（４’−クロロフェニル）−２−ヒドロキシエタン酸（４−クロロマンデル酸）
２−（３’−ヒドロキシ−４’−メトキシフェニル）２−ヒドロキシエタン酸（３−ヒドロキシ−４−メトキシマンデル酸）
２−（４’−ヒドロキシ−３’−メトキシフェニル酸）
３−（２’−ヒドロキシフェニル）２−ヒドロキシプロパン酸
［３（２’−ヒドロキシフェニル）乳酸］
３−（４’−ヒドロキシフェニル）２−ヒドロキシプロパン酸［３−（４’−ヒドロキシフェニル）乳酸］
２−（３’，４’−ジヒドロキシフェニル）２−ヒドロキシエタン酸（３，４−ジヒドロキシマンデル酸）
（３）ポリヒドロキシアルファ−ヒドロキシ酸
２，３−ジヒドロキシプロパン酸（グリセリン酸）
２，３，４−トリヒドロキシブタン酸、異性体、エリスロン酸、トレオン酸）
２，３，４，５−テトラヒドロキシペンタン酸（異性体、リボン酸、アラビノン酸、キシロン酸、リキソン酸）
２，３，４，５，６−ペンタヒドロキシヘキサン酸（異性体、アロン酸、アルトロン酸、グルコン酸、マンノン酸、グロン酸、イドン酸、ガラクトン酸、タロン酸）
２，３，４，５，６，７−ヘキサヒドロキシヘプタン酸（異性体、グルコヘプトン酸、ガラクトヘプトン酸など）
（４）ポリカルボン酸アルファ−ヒドロキシ酸
２−ヒドロキシプロパン−１，３−ジオン酸（タルトロン酸）
２−ヒドロキシブタン−１，４−ジオン酸（リンゴ酸）
２，３−ジヒドロキシブタン−１，４−ジオン酸（酒石酸）
２−ヒドロキシ−２−カルボキシペンタン−１，５−ジオン酸（クエン酸）
２，３，４，５−テトラヒドロキシヘキサン−１，５−ジオン酸（異性体、糖酸、ムチン酸）
（５）ラクトン型
【００３４】
一般的なラクトン型は、グルコノラクトン、ガラクトノラクトン、グルクロノラクトン、ガラクツロノラクトン、グルコノラクトン、リボノラクトン、糖酸ラクトン、パントイルラクトン、グルコヘプトノラクトン、マンノノラクトンおよびガラクトヘプトノラクトンである。
【００３５】
本発明に有用な代表的なアルファケト酸は以下の通りである。
【００３６】
２−ケトエタン酸（グリオキシル酸）
２−ケトエタン酸メチル
２−ケトプロパン酸（ピルビン酸）
２−ケトプロパン酸メチル（ピルビン酸メチル）
２−ケトプロパン酸エチル（ピルビン酸エチル）
２−ケトプロパン酸プロピル（ピルビン酸プロピル）
２−フェニル−２−ケトエタン酸（ベンゾイルギ酸）
２−フェニル−２−ケトエタン酸メチル（ベンゾイルギ酸メチル）
２−フェニル−２−ケトエタン酸エチル（ベンゾイルギ酸エチル）
３−フェニル−２−ケトプロパン酸（フェニルピルビン酸）
３−フェニル−２−ケトプロパン酸メチル（フェニルピルビン酸メチル）
３−フェニル−２−ケトプロパン酸エチル（フェニルピルビン酸エチル）
２−ケトブタン酸
２−ケトペンタン酸
２−ケトヘキサン酸
２−ケトヘプタン酸
２−ケトオクタン酸
２−ケトドデカン酸
２−ケトオクタン酸メチル
ＩＩ．ヒドロキシ酸の二量体および重合体
【００３７】
ヒドロキシカルボン酸の２個以上の分子が、同一の化合物または異なる化合物のいずれであっても互いに化学的に反応すると、二量体または重合体化合物が形成されるだろう。このような二量体および重合体化合物は、３群、すなわち（ａ）アクリル酸エステル、（ｂ）環状エステルおよび（ｃ）種種雑多な二量体および重合体に分類することが可能である。
【００３８】
本発明に有用な代表的なヒドロキシカルボン酸のアクリル酸エステルは以下に見られるものである。
【００３９】
グリコール酸グリコリル（グリコール酸のグリコール酸塩）
乳酸ラクチル（乳酸の乳酸塩）
マンデル酸マンデリル
アトロ乳酸アトロラクチル
フェニル乳酸フェニルラクチル
ベンジル酸ベンジリル
乳酸グリコリル
グリコール酸ラクチル
グリコール酸グリコリルグリコリル
乳酸ラクチルラクチル
乳酸ラクチルグリコリル
グリコール酸グリコリルグリコリルグリコリル
乳酸ラクチルラクチルラクチル
グリコール酸グリコリルラクチルグリコリルラクチル
ポリグリコール酸およびポリ乳酸
【００４０】
アルファ−ヒドロキシカルボン酸の量は、基質に浸透する組成物の重量の約０．０１から約２０％、好ましくは約０．１から約１５％、より好ましくは約１から約１０％、最適なのは約３から約８％の範囲が可能である。
【００４１】
本発明の組成物は、水に入れるとｐＨは約６．５以下で、好ましくは約６．０から約２．０、より好ましくは約５．５から約２．５、さらにより好ましくは約５．０から約３．０、最適なのは約４．５から約３．５である。この組成物はタオル上に乾燥状態で配置して、消費者が水で湿らせることによって活性化されることが可能である。好ましい実施形態では、本発明の組成物は低粘度の予備調製流動体組成物である。一般的な粘度は、２００℃で０．５から１００ｃｐｓ、好ましくは約２から約２０ｃｐｓの範囲でよい（Ｂｒｏｏｋｆｉｅｌｄ  ＲＶＴ）。
【００４２】
基質に対する浸透組成物の量は、重量比で約２０：１から１：２０、好ましくは１０：１から約１：１０および最適なのは約２：１から約１：２の範囲が可能である。
【００４３】
一般的に、湿潤剤を本発明の組成物に取り込ませる。湿潤剤は通常ポリオールである。代表的なポリオールには、グリセリン、ジグリセリン、ポリアルキレングリコール、より好ましくはプロピレングリコール、ジプロピレングリコール、ポリプロピレングリコール、ポリエチレングリコールおよびそれらの誘導体を含むアルキレンポリオールおよびそれらの誘導体、ソルビトール、ヒドロキシプロピルソルビトール、ヘキシレングリコール、１，２−ブチレングリコール、１，２，６−ヘキサントリオール、イソプレングリコール、エトキシル化グリセロール、プロポキシル化グリセロールおよびそれらの混合物が含まれる。最も好ましいのは、Ａｒｃｏ  Ｃｈｅｍｉｃａｌ  ＣｏｍｐａｎｙからＭＰ  Ｄｉｏｌとして市販されている２−メチル−１，３−プロパンジオールである。ポリオールの量は、浸透組成物の重量の約０．５から約９５％、好ましくは約１から約５０％、より好ましくは約１．５から約２０％、最適なのは約３から約１０％の範囲が可能である。
【００４４】
本発明による製品に必須の他の要素は、シリコーンミクロエマルジョンである。これらのミクロエマルジョンの平均粒径は、約０．０１から約５００ｎｍ、好ましくは約１から約１００ｎｍ、最適なのは約５から約５０ｎｍの範囲が可能である。粒径は、Ｍａｌｖｅｒｎ  Ｉｎｓｔｒｕｍｅｎｔｓ製の２６００Ｄ  Ｐａｒｔｉｃｌｅ  Ｓｉｚｅｒを使用してレーザー光散乱技法によって測定することが可能である。
【００４５】
ミクロエマルジョンは、シリコーンと水の高剪断機械的混合によって、または不溶性不揮発性シリコーンと水を乳化することによって、およびシリコーンをたとえば乳化剤の加熱溶液に乳化剤混合することによって、または機械的および化学的乳化の組み合わせによって調製することが可能である。
【００４６】
界面活性剤を単独で、または混合して、シリコーンエマルジョンを調製するための乳化剤として使用することが可能である。好ましい乳化剤には、アルキルアリールスルホン酸塩、たとえばドデシルベンゼンスルホン酸ナトリウム、アルキル硫酸塩、たとえばラウリル硫酸ナトリウム、アルキルエーテル硫酸塩、たとえばラウリルエーテル硫酸ナトリウム  ｎＥＯ（ｎは１から２０）、アルキルフェノールエーテル硫酸塩、たとえばオクチルフェノールエーテル硫酸塩  ｎＥＯ（ｎは１から２０）、およびスルホコハク酸塩、たとえばジオクチルスルホコハク酸ナトリウムなどの陰イオン乳化剤が含まれる。
【００４７】
エトキシル化アルキルフェノール、たとえばエトキシル化ノニルフェノール  ｎＥＯ（ｎは１から５０）、エトキシル化アルコール、たとえばラウリルアルコール  ｎＥＯ（１から５０）、エトキシル化エステル、たとえばモノステアリン酸ポリオキシエチレン（オキシエチレン単位の数は１から３０）などの非イオン性乳化剤もまた適している。
【００４８】
本発明の目的に特に好ましいシリコーンはジメチコノールで、直鎖でも枝分かれでもよい。数平均分子量は、約１０００から約１００万、好ましくは約２００００から約５０００００、最適なのは約４００００から約１０００００の範囲が可能である。ミクロエマルジョンにはシリコーンが約１から約９５重量％、好ましくは約１０から約６０重量％、最適なのは約２０から約４０重量％の範囲のレベルで添加されることが可能である。予備形成したミクロエマルジョンは、Ｄｏｗ  Ｃｏｒｎｉｎｇ、Ｇｅｎｅｒａｌ  Ｅｌｅｃｔｒｉｃ、Ｕｎｉｏｎ  Ｃａｒｂｉｄｅ、Ｗａｃｋｅｒ  Ｃｈｅｍｉｅ、Ｓｈｉｎ  Ｅｔｓｕ、およびＴｏｒａｙ  Ｓｉｌｉｃｏｎｅ  Ｃｏｍｐａｎｙなどの供給元から市販されている。特に好ましいのは、シリコーン２５％、最大粒径４０ｎｍ、ｐＨ６．５〜８の直鎖ジメチコノールミクロエマルジョンとドデシルベンゼンスルホン酸トリエタノールアミン／Ｌａｕｒｅｔｈ−２４の界面活性剤を組み合わせたもので、Ｄｏｗ  Ｃｏｒｎｉｎｇから商標名ＤＣ２−１８７０で市販されている。
【００４９】
本発明の組成物が流動体状の場合は、通常化粧品として許容される様々な担体賦形剤と共に提供される。通常、この担体賦形剤は水である。担体賦形剤の量は、浸透組成物重量の約０．５から約９９％、好ましくは約１から約８０％、さらに好ましくは約５０から約７０％、最適なのは約６５から７０％の範囲が可能である。
【００５０】
本発明の化粧組成物には、有害性が懸念される微生物の増殖を抑えるために保存剤を取り込ませることが望ましい。本発明の組成物用に適切な従来の保存剤は、パラ−ヒドロキシ安息香酸のアルキルエステルである。ごく最近使用されるようになってきたその他の保存剤には、ヒダントイン誘導体、プロピオン酸塩、および様々な４級アンモニウム化合物が含まれる。化粧用化学薬品には適切な保存剤がよく使用され、通常保存剤負荷試験を満たし、製品の安定性をもたらすものを選択する。特に好ましい保存剤は、フェノキシエタノール、メチルパラベン、プロピルパラベン、イミダゾリジニルウレア、デヒドロ酢酸ナトリウムおよびベンジルアルコールである。この保存剤は、組成物の用途および保存剤と組成物中のその他の成分との間で起こりうる適合性を考慮して選択するべきである。保存剤は組成物重量の０．０１％から２％の範囲の量で使用することが好ましい。
【００５１】
本発明の組成物は、さらに草抽出物を含むことが可能である。抽出物の例には、カミツレ（Ｒｏｍａｎ  Ｃｈａｍｏｍｉｌｅ）、緑茶、スカルキャップ、イラクサの根、センブリ（Ｓｗｅｒｔｉａ  Ｊａｐｏｎｉｃａ）、ウイキョウおよびアロエベラの抽出物が含まれる。抽出物それぞれの量は、組成物重量の約０．００１から約１％、好ましくは約０．０１から約０．５％、最適なのは約０．０５から約０．２％が可能である。
【００５２】
微量添加成分もまたこの組成物に存在させることが可能である。その中には、ビタミンＥアセテート、ビタミンＣ、ビタミンＡパルミテート、パンテノールおよびビタミンＢ複合体のいずれかが含まれることが可能である。ステビオシド、アルファ−ビソボロールおよびｇｌｙｃｙｈｒｉｚｚｉｎａｔｅ塩を含めた抗刺激薬もまた存在させることが可能で、それぞれのビタミンまたは抗刺激薬は、組成物重量の約０．００１から約１．０％、好ましくは約０．０１から約０．３％の範囲の量で存在させる。
【００５３】
乳化剤もまた本発明の組成物に取り込ませることが可能である。これらの乳化剤は、陰イオン性、非イオン性、陽イオン性、両性およびそれらの組み合わせであることが可能である。有用な非イオン性乳化剤には、Ｃ１０〜Ｃ２０脂肪族アルコールまたは酸疎水物質と疎水物質１モル当たり２から１００モルのエチレンオキシドまたはプロピレンオキシドが縮合したもの、アルキレンオキシド２から２０モルが縮合したＣ２〜Ｃ１０アルキルフェノール、エチレングリコールのモノ−およびジ−脂肪酸エステル、脂肪酸モノグリセリド、ソルビタン、モノ−およびジ−Ｃ８〜Ｃ２０脂肪酸、ブロックコポリマー（エチレンオキシド／プロピレンオキシド）、およびポリオキシエチレンソルビタンならびにそれらの組み合わせが含まれる。アルキルポリグリコシドおよび糖類脂肪族アミド（たとえば、メチルグルコンアミド）はまた、適切な非イオン性乳化剤である。乳化剤として特に好ましいのは、Ｃｒｅｍｏｐｈｏｒｅ  ＲＨ−４００（登録商標）として市販されているエチレンオキシド４０モルでアルコキシル化した硬化ヒマシ油ワックスである。
【００５４】
陰イオン型および両性型の弱い乳化剤もまた使用することができる。特に好ましい陰イオン性の例には、ラウロアンホ酢酸塩およびサルコシン酸塩が含まれる。好ましい両性型にはコカミドプロピルベタインおよびジメチルベタインが含まれる。
【００５５】
乳化剤の量は、約０．０５から約２０重量％、好ましくは約０．１から約５重量％、最適なのは約０．５から約０．８重量％が可能である。
【００５６】
ラウロアンホ酢酸塩などの脂肪酸（Ｃ１０〜Ｃ２２アルキル）基を含む低ｐＨ系は、不潔な臭気を発することが発見された。理論によって結びつけることを希望するものではないが、脂肪酸基を有する界面活性剤の加水分解によってこれらの基が切断されるものと考えられ、それによって悪臭を放つ脂肪酸が形成される。本出願人等は、驚くべきことにジメチルコニルミクロエマルジョンなどのシリコーンミクロエマルジョンが効果的に臭気形成を阻害することを発見した。
【００５７】
本発明のこれらの浸透組成物に関わるｐＨ範囲は広くてもよいが、比較的低ｐＨ、たとえば約２から約６．５、好ましくは約２．５から約４．５を有することが好ましい。
【００５８】
操作実施例および比較実施例以外、または明確に指示した場合以外は、この説明で物質の量を指示した全ての数値は「約」という用語で修飾されていることを理解されたい。
【００５９】
以下の実施例は、本発明の実施形態をより完全に例示するものである。全ての部分で、本明細書および添付したクレームに関連したパーセントおよび割合は、他に指示がなければ重量に基づいている。
【００６０】
実施例１〜８
表Ｉは、タオルを形作るセルロース基質に浸透するために適した調合物のリストを上げた表である。得られた組成物溶液のｐＨは、約２．８から約４．０の範囲である。
【００６１】
【表１】
0005000824.tif 000002
【００６２】
実施例９
低ｐＨヒドロキシカルボン酸付着タオル製品における安定性および粘着性軽減のためのシリコーンおよびその他の物質の影響を評価するために検討を実施した。ジメチコノールミクロエマルジョンを表ＩＩに記載した物質と置き換える以外は実施例１と実質的に同様な調合物を、特定の使用濃度でタオルに浸透させた。４グラムの量の調合物を各タオル（１．８グラム重、１５．２４ｃｍ×２０．３２ｃｍ（６インチ×８インチ））に浸透させた。安定性とは、タオルに浸透させた流動体の相（ｐｈａｓｅ）適合性のことである。評価は、均一な流動体については「良」、上部に少量のクリーム分離のみを有するものについては「可」、著しい相分離については「不可」とした。粘着性は、訓練を受けた評価官が評価し、指の感触によって測定した。
【００６３】
【表２】
0005000824.tif 000003
【００６４】
非シリコーン物質のほとんど全ては、付着したヒドロキシカルボン酸の粘着性を改良する有益な効果を有さなかった。ジメチコーンエマルジョンは粘着性除去のためにはあまり作用しなかった。しかしこれらのエマルジョンは流動体調合物にわずかな安定性をもたらした。ジメチコノールミクロエマルジョンが良好な物理的安定性を保持し、粘着性も効果的に克服した。
【００６５】
以下の説明および実施例は、本発明の選択した実施形態を例示している。これらの変更および修正は当業者によって提案され、いずれも本発明の精神および範囲内である。